(57)【要約】      （修正有）【課題】生活環境の雰囲気を作り出す灯光源及び照明光源を同時に有し、環境を照らし、美しく明るい効果を達成することができる照明装置を提供する。【解決手段】生活環境の雰囲気を作り出す照明装置３０は、第一灯光源３０１と、第二灯光源３０２と、シェルボディ３３と、を含む。第一灯光源３０１は、生活環境の雰囲気光源ＬＡ２を提供する。第二灯光源３０２は、照明光源ＬＬ２を提供する。シェルボディ３３は、第一灯光源３０１を内部に配置するための第一部分と、第二灯光源３０２を内部に配置するための第二部分と、を有し、前記第一部分は、生活環境の雰囲気光源ＬＡ２を遮断し、前記第二部分は、照明光源ＬＬ２を遮断する。【選択図】図４
0003216114.tif 000002
【実用新案登録請求の範囲】
【請求項１】
生活環境の雰囲気光源を提供するための第一灯光源と、
照明光源を提供するための第二灯光源と、
前記第一灯光源を内部に配置するための第一部分と、前記第二灯光源を内部に配置するための第二部分と、を有するシェルボディと、を含み、
前記第一部分は、前記生活環境の雰囲気光源を遮断し、前記第二部分は、前記照明光源を遮断することを特徴とする生活環境の雰囲気を作り出す照明装置。
【請求項２】
前記照明装置は、様々な色灯光源を有する電球であり、
前記第一部分は、
第一灯光源を載せるランプ載せ構造と、
前記ランプ載せ構造を覆うように配置される第一ランプシェルと、
第一結合構造を有し、前記生活環境の雰囲気光源を遮断する第一遮光ユニットと、を含み、
前記ランプ載せ構造及び前記第一遮光ユニットは、前記第一結合構造によって結合され、
前記第二部分は、
第二結合構造を有し、前記第一遮光ユニットと背中合わせに連結され、第二灯光源を担持し、前記照明光源を遮断する第二遮光ユニットと、
前記第二遮光ユニットを覆うように配置される第二ランプシェルと、を含み、
前記第一灯光源と前記第二灯光源との間には、前記第一遮光ユニット及び前記第二遮光ユニットで隔てられ、前記第一ランプシェル及び前記第二ランプシェルは、前記第二結合構造によって結合され、
前記第一遮光ユニット及び前記第二遮光ユニットは、前記第一部分と前記第二部分を分離する隔板であり、前記第二結合構造は、前記第二ランプシェルの形状及び大きさに適合する雄ねじであり、前記第一結合構造は、前記ランプ載せ構造の形状及び大きさに適合する雌ねじ、接着剤又ははんだであり、
前記第一灯光源及び前記第二灯光源は両方ともＬＥＤ灯光源であり、
前記第一部分は、前記照明装置をランプベースに結合し、且つ前記ランプ載せ構造に結合するように配置される接合部を更に含むことを特徴とする請求項１に記載の照明装置。
【請求項３】
前記第一灯光源は、赤色ＬＥＤ（Ｒ−ＬＥＤ）ユニット、緑色ＬＥＤ（Ｇ−ＬＥＤ）ユニット及び青色ＬＥＤ（Ｂ−ＬＥＤ）ユニットを含み、前記第二灯光源は、比較的高輝度の白色ＬＥＤを含み、
前記第一部分は、少なくとも一つの前記第一灯光源及び少なくとも一つの前記第二灯光源の発光動作を制御するように配置される制御ユニットを更に含み、
前記制御ユニットは、
前記ランプベースに電気的に連結され、前記ランプベースから提供される第一電力を前記第一灯光源に供給される第二電力に転換する第一転換ユニットと、
前記ランプベースに電気的に連結され、前記ランプベースから提供される第一電力を前記第二灯光源に供給される第三電力に転換する第二転換ユニットと、
前記第二電力を受信し、第一入力信号に対応し、第一調光信号を出力する第一パルス幅変調ユニットと、
前記第三電力を受信し、第二入力信号に対応し、第二調光信号を出力する第二パルス幅変調ユニットと、を含み、
前記第一調光信号は、前記生活環境の雰囲気光源を生成するために、前記Ｒ−ＬＥＤユニット、前記Ｇ−ＬＥＤユニット及び前記Ｂ−ＬＥＤユニットをそれぞれ調整し、前記生活環境の雰囲気光源は、混色光源を含み、
前記第二調光信号は、前記照明光源を生成するために、白色ＬＥＤを調整することを特徴とする請求項１に記載の照明装置。
【請求項４】
生活環境の雰囲気光源を提供するための第一灯光源と、
照明光源を提供するための第二灯光源と、
前記第一灯光源及び前記第二灯光源を内部に配置するためのシェルボディと、を含むことを特徴とする生活環境の雰囲気を作り出す照明装置。
【請求項５】
前記照明装置は、複数の灯光源及び複数のランプシェルを有する電球であり、
前記シェルボディは、
前記第一灯光源を覆うように配置される第一ランプシェルと、
第一結合構造及び第二結合構造を有し、前記第二灯光源を載せる遮光ユニットと、
前記遮光ユニットを覆うように配置される第二ランプシェルと、を含み、
前記第一灯光源と前記第二灯光源との間には、前記遮光ユニットで隔てられ、前記遮光ユニットは、前記生活環境の雰囲気光源と前記照明光源とを隔て、前記第一ランプシェル及び前記第二ランプシェルは、前記第二結合構造によって結合され、
前記照明装置は、第一灯光源を載せるように配置されるランプ載せ構造を更に含み、
前記ランプ載せ構造及び前記遮光ユニットは、前記第一結合構造によって結合され、
前記第一ランプシェルは、前記ランプ載せ構造を覆うように配置され、
前記遮光ユニットは、前記第一灯光源と前記第二灯光源を分離する隔板であり、前記第二結合構造は、前記第二ランプシェルの形状及び大きさに適合する雄ねじであり、前記第一結合構造は、前記ランプ載せ構造の形状及び大きさに適合する雌ねじ、接着剤又ははんだであり、
前記第一灯光源及び前記第二灯光源は両方ともＬＥＤ灯光源であり、
前記照明装置は、前記照明装置をランプベースに結合し、且つ前記ランプ載せ構造に結合するように配置される接合部を更に含むことを特徴とする請求項４に記載の照明装置。
【請求項６】
前記第一灯光源は、赤色ＬＥＤ（Ｒ−ＬＥＤ）ユニット、緑色ＬＥＤ（Ｇ−ＬＥＤ）ユニット及び青色ＬＥＤ（Ｂ−ＬＥＤ）ユニットを含み、前記第二灯光源は、比較的高輝度の白色ＬＥＤを含み、
前記照明装置は、少なくとも一つの前記第一灯光源及び少なくとも一つの前記第二灯光源の発光動作を制御するように配置される制御ユニットをさらに含み、
前記制御ユニットは、
ランプベースに電気的に連結され、前記ランプベースから提供される第一電力を前記第一灯光源及び第二灯光源に供給される第二電力に転換する転換ユニットと、
前記第二電力を受信し、第一入力信号に対応し、第一調光信号を出力する第一パルス幅変調（ＰＷＭ)ユニットと、
前記第二電力を受信し、第二入力信号に対応し、第二調光信号を出力する第二パルス幅変調ユニットと、を含み、
前記第一調光信号は、前記生活環境の雰囲気光源を生成するために、前記Ｒ−ＬＥＤユニット、前記Ｇ−ＬＥＤユニット及び前記Ｂ−ＬＥＤユニットをそれぞれ調整し、前記生活環境の雰囲気光源は、混色光源を含み、
前記第二調光信号は、前記照明光源を生成するために、白色ＬＥＤを調整し、
前記第一入力信号及び前記第二入力信号は、モバイルデバイスによって調整され、
前記モバイルデバイスは、ディスプレイを含み、また、アプリケーションを有し、前記アプリケーションは、ユーザが所望の色を選択するためのパレットを前記ディスプレイの上に表示し、選択した色をカラーコードに変換し、
前記制御ユニットは、無線モジュール及び変換ユニットを更に含み、前記無線モジュールは、前記カラーコードを受信し、前記第一入力信号及び前記第二入力信号を出力し、
前記第一調光信号は、第一パルス幅を有する第一ＰＷＭ信号、第二パルス幅を有する第二ＰＷＭ信号及び第三パルス幅を有する第三ＰＷＭ信号を含み、
前記混色光源の彩度は、前記第一ＰＷＭと前記第二ＰＷＭと前記第三ＰＷＭとの間のパルス幅の比に関連し、
前記混色光源のグレースケールは、前記第一ＰＷＭ、前記第二ＰＷＭ及び前記第三ＰＷＭのパルス幅にそれぞれ関連し、
前記変換ユニットは、前記カラーコードを、前記第一ＰＷＭ、前記第二ＰＷＭと前記第三ＰＷＭとの間のパルス幅の比に変換することを特徴とする請求項４に記載の照明装置。
【請求項７】
少なくとも一つの第一灯光源を覆うように配置される第一ランプシェルと、
少なくとも一つの第二灯光源を覆うように配置される第二ランプシェルと、を含み、
前記第一ランプシェルは、前記第二ランプシェルと背中合わせに連結されることを特徴とする照明装置。
【請求項８】
前記照明装置は、
前記少なくとも一つの第一灯光源を載せるランプ載せ構造と、
前記少なくとも一つの第二灯光源を担持し、第一結合構造及び第二結合構造を有する遮光ユニットと、を含み、
前記ランプ載せ構造は、前記遮光ユニット及び前記第一ランプシェルによって覆われ、
全ての第二灯光源と全ての第一灯光源との間は、前記遮光ユニットによって隔てられ、前記ランプ載せ構造及び前記遮光ユニットは、前記第二結合構造によって結合され、
前記遮光ユニットは、前記第一灯光源と前記第二灯光源を分離する隔板であり、前記第一結合構造は、前記第二ランプシェルの形状及び大きさに適合する雄ねじであり、前記第二結合構造は、前記ランプ載せ構造の形状及び大きさに適合する雌ねじ、接着剤又ははんだであり、
前記第二灯光源は、前記隔板及び前記第二ランプシェルによって覆われ、
前記第一灯光源及び前記第二灯光源は両方ともＬＥＤ灯光源であり、
前記照明装置は、前記照明装置をランプベースに結合し、且つ前記ランプ載せ構造に結合するように配置される接合部を更に含むことを特徴とする請求項７に記載の照明装置。
【請求項９】
前記第一灯光源は、赤色ＬＥＤ（Ｒ−ＬＥＤ）ユニット、緑色ＬＥＤ（Ｇ−ＬＥＤ）ユニット及び青色ＬＥＤ（Ｂ−ＬＥＤ）ユニットを含み、前記第二灯光源は、比較的高輝度の白色ＬＥＤを含み、
前記照明装置は、少なくとも一つの前記第一灯光源及び少なくとも一つの前記第二灯光源の発光動作を制御するように配置される制御ユニットを更に含み、
前記制御ユニットは、
前記ランプベースに電気的に連結され、前記ランプベースから提供される第一電力を前記第一灯光源及び前記第二灯光源に供給される第二電力に転換する第一転換ユニットと、
前記第二電力を受信し、第一入力信号に対応し、第一調光信号を出力する第一パルス幅変調ユニットと、
前記第二電力を受信し、第二入力信号に対応し、第二調光信号を出力する第二パルス幅変調ユニットと、を含み、
前記第一調光信号は、混色光を生成するために、Ｒ−ＬＥＤユニット、Ｇ−ＬＥＤユニット及びＢ−ＬＥＤユニットをそれぞれ調整し、
前記第二調光信号は、照明光を生成するために、白色ＬＥＤを調整することを特徴とする請求項８に記載の照明装置。
【請求項１０】
前記第一入力信号及び前記第二入力信号は、セグメントレスノブによって調整され、
前記第一調光信号は、第一デューティ比（duty ratio）を有する第一パルス幅変調（ＰＷＭ)信号と、第二デューティ比を有する第二ＰＷＭ信号と、第三デューティ比を有する第三ＰＷＭ信号と、を含み、前記第一、前記第二及び前記第三デューティ比は、前記Ｒ−ＬＥＤユニット、前記Ｇ−ＬＥＤユニット及び前記Ｂ−ＬＥＤユニットによって放射される光の輝度にそれぞれ関連し、
前記第一ランプシェル及び前記第二ランプシェルの一方は、カラーコーティングを有し、前記第一ランプシェル及び前記第二ランプシェルの一方は、半透明のランプシェルであり、他方は、透明のランプシェルであることを特徴とする請求項９に記載の照明装置。
【考案の詳細な説明】
【技術分野】
【０００１】
関連出願と優先権主張の相互参照
本考案は、台湾智慧財産局での２０１７年２月１３日に出願された実用新案出願第１０６２０２０８４号に基づく利益を主張し、当該実用新案出願の開示は、参照によって本明細書に組み込まれる。
【０００２】
本考案は、照明装置に関し、特に生活環境の雰囲気を作り出す照明装置に関する。
【背景技術】
【０００３】
伝統的な灯具のほとんどは、タングステンフィラメント電球又は蛍光管省エネランプを使用するが、そのような電球は、電気エネルギーをより低い効率で光エネルギーに変換し、多くの電力を消費する。特定の輝度を達成するために、高抵抗のタングステンフィラメントが使用され、使用プロセスで発生する高温は、タングステンフィラメントの使用寿命に影響し、作業中に発生する高温は、周囲の環境にも潜在的な安全上の危険をもたらす。一方、蛍光管には有毒な金属水銀が含まれる。蛍光管は、容易に砕けて水銀揮発を起こし、人体に危害を与え、環境保護に寄与しない。更に、以上の灯具の光線は、発散しすぎて、十分な明るさがない。
【０００４】
ＬＥＤランプは、より高いエネルギー変換効率を有し、太陽光に近い光を発し、人々は非常に快適なビジョンを感じるので、近年では、経済発展に伴い、タングステンランプ、ハロゲンランプ及び蛍光灯などが徐々にＬＥＤランプに置き換えられている。研究によると、５５００Ｋが目に有益な色温度であり、ＬＥＤランプの６５００Ｋの色温度が４２００Ｋキセノンランプよりも日光に近い。また、ＬＥＤランプは、多くの利点を有し、節電、高輝度、長寿命だけでなく、価格が安く、少ない放熱で電力を無駄にする可能性が低い、点灯時間が短いため、ＬＥＤライトの利点は、アプリケーションでは他のタイプのランプを凌駕する。
【０００５】
装飾ランプの分野でのＬＥＤの応用もますます広くなっており、現在、市場では、異なる色を放射する装飾的な電球と照明電球が別々に分離されており、それぞれ単機能電球であり、同時に装飾及び照明の需要を達成するために、これらの二つのタイプの電球が同時にインストールされる必要がある。これにより、設置スペース及びサイズが増加し、便利性が低下する。
【考案の概要】
【考案が解決しようとする課題】
【０００６】
これに鑑みて、生活環境の雰囲気を作り出す灯光源及び照明光源を同時に有し、環境を照らし、美しく明るい効果を達成することができる照明装置が期待されている。
【課題を解決するための手段】
【０００７】
上述の目的を達成するために、本考案は、生活環境の雰囲気を作り出す照明装置を提案する。前記生活環境の雰囲気を作り出す照明装置は、生活環境の雰囲気光源を提供するための第一灯光源と、照明光源を提供するための第二灯光源と、前記第一灯光源を内部に配置するための第一部分と、前記第二灯光源を内部に配置するための第二部分と、を有するシェルボディと、を含み、前記第一部分は、前記生活環境の雰囲気光源を遮断し、前記第二部分は、前記照明光源を遮断する。
【０００８】
上述の目的を達成するために、本考案は、生活環境の雰囲気を作り出す照明装置を提案する。前記生活環境の雰囲気を作り出す照明装置は、生活環境の雰囲気光源を提供するための第一灯光源と、照明光源を提供するための第二灯光源と、前記第一灯光源及び前記第二灯光源を内部に配置するためのシェルボディと、を含む。
【０００９】
上述の目的を達成するために、本考案は、生活環境の雰囲気を作り出す照明装置を提案する。前記生活環境の雰囲気を作り出す照明装置は、少なくとも一つの第一灯光源を覆うように配置される第一ランプシェルと、少なくとも一つの第二灯光源を覆うように配置される第二ランプシェルと、を含み、前記第一ランプシェルは、前記第二ランプシェルと背中合わせに連結される。
【００１０】
本考案に係る生活環境の雰囲気を作り出す照明装置は、遮光ユニットを介して生活環境の雰囲気を作り出す灯光源と照明光源とを隔て、雰囲気光源と照明光源は互いに干渉しなく、同じ照明装置に統合される。ユーザーは、放出されるべく色光の効果を調整し、同時に照明光の輝度を制御することができる。更に、第一ランプシェル及び第二ランプシェルは、迅速な組み立てのため第一結合構造によって結合されることができる。また、調光の方法は、直接的に所望の色光の色を選択し、無線信号を使用して受信機に送信することができ、制御ユニットは、受信機が受信する無線信号の調光情報により雰囲気光源及び照明光源を調整し、これらの光源をより容易に調整して、生活雰囲気を向上させることができる。本考案の更なる機能及び技術的特徴は、以下の図面及び実施形態を参照して説明する。
【図面の簡単な説明】
【００１１】
【図１】本考案の好ましい実施形態に係る照明装置を示す模式図である。
【図２】本考案の好ましい実施形態に係る制御ユニットを示す模式図である。
【図３】図３（ａ）は、本考案の好ましい実施形態に係る調光装置を示す模式図である。また、図３（ｂ）は、本考案の好ましい実施形態に係る調光信号を示す模式図である。
【図４】本考案の好ましい実施形態に係る照明装置を示す模式図である。
【図５】本考案の好ましい実施形態に係る制御ユニットを示す模式図である。
【図６】本考案の他の好ましい実施形態に係るモバイルデバイスを利用し調光することを示す模式図である。
【図７】本考案の好ましい実施形態に係る照明装置を示す模式図である。
【考案を実施するための形態】
【００１２】
以下のように、本考案を下記の実施形態に基づいて詳述するが、あくまでも例示であって、本考案の範囲はこれらの実施形態に限定されない。本考案の範囲は、実用新案登録請求の範囲に記載されており、さらに実用新案登録請求の範囲の記載と均等な意味及び範囲内での全ての変更を含んでいる。
【００１３】
図１は、本考案の好ましい実施形態に係る照明装置１０を示す模式図である。照明装置１０は、第一灯光源１０１と、第二灯光源１０２と、シェルボディ１３と、を含む。前記第一灯光源１０１は、生活環境の雰囲気光源ＬＡ１を提供するように用いられ、前記第二灯光源１０２は、照明光源ＬＬ１を提供するように用いられる。前記シェルボディ１３は、前記第一灯光源１０１を内部に配置するための第一部分１３１と、前記第二灯光源１０２を内部に配置するための第二部分１３２と、を有する。前記第一部分１３１は、前記生活環境の雰囲気光源ＬＡ１を遮断し、前記第二部分１３２は、前記照明光源ＬＬ１を遮断する。
【００１４】
図１において、前記第一部分１３１は、ランプ載せ構造１０５と、第一ランプシェル１０７と、第一遮光ユニット１０９と、を含む。前記ランプ載せ構造１０５は、前記第一灯光源１０１を載せ、前記第一ランプシェル１０７は、前記ランプ載せ構造１０５を覆うように配置される。前記第一遮光ユニット１０９は、第一結合構造１１１を有し、前記生活環境の雰囲気光源ＬＡ１を遮断し、前記ランプ載せ構造１０５及び前記第一遮光ユニット１０９は、前記第一結合構造１１１によって結合される。前記第二部分１３２は、第二遮光ユニット１１０と、第二ランプシェル１０８と、を含む。前記第二遮光ユニット１１０は、第二結合構造１０６を有し、前記第一遮光ユニット１０９と背中合わせに連結され、前記第二灯光源１０２を担持し、前記照明光源ＬＬ１を遮断する。前記第二ランプシェル１０８は、前記第二遮光ユニット１１０を覆うように配置され、前記第一灯光源１０１と前記第二灯光源１０２との間には、前記第一遮光ユニット１０９及び前記第二遮光ユニット１１０で隔てられ、前記第一ランプシェル１０７及び前記第二ランプシェル１０８は、前記第二結合構造１０６によって結合される。
【００１５】
図１において、前記第一遮光ユニット１０９及び前記第二遮光ユニット１１０は、前記第一部分１３１と前記第二部分１３２を分離する隔板であり、前記第二結合構造１０６は、前記第二ランプシェル１０８の形状及び大きさに適合する第二雄ねじであり、前記第一結合構造１１１は、前記ランプ載せ構造１０５の形状及び大きさに適合する雌ねじ、接着剤又ははんだである。前記第一遮光ユニット１０９は、第三結合構造１０４を更に含み、前記第三結合構造１０４は、前記第一ランプシェル１０７と前記第一遮光ユニット１０９とを結合するための第一雄ねじであってもよい。前記第一灯光源１０１及び前記第二灯光源１０２は両方ともＬＥＤ灯光源である。前記第一部分１３１は、前記照明装置１０をランプベース１１４に結合し、且つ前記ランプ載せ構造１０５に結合するように配置される接合部１１２を更に含む。前記ランプベース１１４は、電力ＰＷ０に電気的に接続され、前記電力ＰＷ０は、交流電力又は直流電力であってもよい。
【００１６】
図１において、前記第一灯光源１０１は、赤色ＬＥＤ（Ｒ−ＬＥＤ）ユニット、緑色ＬＥＤ（Ｇ−ＬＥＤ）ユニット及び青色ＬＥＤ（Ｂ−ＬＥＤ）ユニットを含み、前記第二灯光源１０２は、比較的高輝度の白色ＬＥＤを含む。前記第一部分１３１は、前記第一灯光源１０１及び前記第二灯光源１０２の発光操作を制御するように配置される制御ユニット２０を更に含む。
【００１７】
図２は、本考案の好ましい実施形態に係る制御ユニット２０を示す模式図である。前記制御ユニット２０は、第一転換ユニット２１と、第二転換ユニット２２と、第一パルス幅変調（ＰＷＭ）ユニット２３と、第二ＰＷＭユニット２４と、を含む。前記第一転換ユニット２１は、前記ランプベース１１４に電気的に連結され、前記ランプベース１１４から提供される第一電力ＰＷ１を前記第一灯光源１０１に供給される第二電力ＰＷ２に転換する。前記電力ＰＷ０が交流電力である場合、前記第一転換ユニット２１及び前記第二転換ユニット２２は、交流直流変換器であってもよく、前記電力ＰＷ０が直流電力である場合、前記第一転換ユニット２１及び前記第二転換ユニット２２は、電圧を低減するための直流変換器であってもよい。前記第一パルス幅変調ユニット２３は、前記第二電力ＰＷ２を受信し、第一入力信号Ｓｉｇ１に対応し、第一調光信号ＳＭ１を出力し、前記第一調光信号ＳＭ１は、前記生活環境の雰囲気光源ＬＡ１を生成するために、前記Ｒ−ＬＥＤユニット、前記Ｇ−ＬＥＤユニット及び前記Ｂ−ＬＥＤユニット（図示せず）をそれぞれ調整し、前記生活環境の雰囲気光源ＬＡ１は、混色光源を含む。
【００１８】
図２において、前記第二転換ユニット２２は、前記ランプベース１１４に電気的に連結され、前記ランプベース１１４から提供される第一電力ＰＷ１’を前記第二灯光源１０２に供給される第三電力ＰＷ２’に転換する。前記第二ＰＷＭユニット２４は、前記第三電力ＰＷ２’を受信し、第二入力信号Ｓｉｇ２に対応し、第二調光信号ＳＭ２を出力し、前記第二調光信号ＳＭ２は、前記照明光源ＬＬ１を生成するために、前記白色ＬＥＤを調整する。
【００１９】
図３（ａ）は、本考案の好ましい実施形態に係る調光装置２５を示す模式図である。前記調光装置２５は、前記ランプベース１１４又は前記照明装置１０の近くに設けられることができ、また、セグメントレスノブ又はセグメントノブを使用して調光してもよい。前記調光装置２５は、ノブR１と、ノブG１と、ノブB１と、ノブW１と、を含み、ノブR１、ノブG１及びノブB１は、前記Ｒ−ＬＥＤユニット、Ｇ−ＬＥＤユニット及びＢ−ＬＥＤユニットの輝度をそれぞれ調整して、所望の混色光源を混合することができる。ノブＷ１は、照明の目的を達成するために、白色ＬＥＤの輝度を調整することができる。好ましくは、前記第一入力信号Ｓｉｇ１は、セグメントレスノブR１、G１及びB１によって調整され、前記第二入力信号Ｓｉｇ２は、セグメントレスノブＷ１によって調整される。
【００２０】
図３（ｂ）は、本考案の好ましい実施形態に係る調光信号を示す模式図である。図３（ｂ）において、第一ＰＷＭ信号Ｓ−Ｒ１、第二ＰＷＭ信号Ｓ−Ｇ１、第三ＰＷＭ信号Ｓ−Ｂ１及び第二調光信号ＳＭ２のオシログラムは示されている。それらの縦軸はそれらの信号の振幅をそれぞれ表し、それらの横軸はそれらの信号の時間をそれぞれ表している。前記第一調光信号ＳＭ１は、第一デューティ比（duty ratio）を有する第一パルス幅変調（ＰＷＭ）信号Ｓ−Ｒ１と、第二デューティ比を有する第二ＰＷＭ信号Ｓ−Ｇ１と、第三デューティ比を有する第三ＰＷＭ信号Ｓ−Ｂ１と、を含み、前記第一デューティ比、前記第二デューティ比及び前記第三デューティ比は、前記Ｒ−ＬＥＤユニット、前記Ｇ−ＬＥＤユニット及び前記Ｂ−ＬＥＤユニットによって放射される光の輝度にそれぞれ関連する。
【００２１】
好ましい実施形態において、例えば図３（ｂ）において、前記ノブＲ１、Ｇ１及びＢ１は可変抵抗であってもよい、前記第一入力信号Ｓｉｇ１は、信号Ｓｉｇ１Ｒと、信号Ｓｉｇ１Ｇと、信号Ｓｉｇ１Ｂと、を含み、このノブを調整すると、各抵抗値が変化して、それに応じて、第一ＰＷＭユニット２３に入力される信号Ｓｉｇ１Ｒ、Ｓｉｇ１Ｇ、Ｓｉｇ１Ｂを調整することができ、そして、第一ＰＷＭユニット２３は、信号Ｓｉｇ１Ｒ、Ｓｉｇ１Ｇ、Ｓｉｇ１Ｂの変化（電圧変化又は電流変化であってもよい）に応じて、前記第一ＰＷＭ信号Ｓ−Ｒ１のパルス幅、前記第二ＰＷＭ信号Ｓ−Ｇ１のパルス幅及び前記第三ＰＷＭ信号Ｓ−Ｂ１のパルス幅が調整される。例えば、前記第一ＰＷＭ信号Ｓ−Ｒ１の第一周期ＲＴ１の25％のパルス幅は、第二周期ＲＴ２において、75％のパルス幅に調整され、即ち、第一デューティ比は0.25から0.75に調整され、前記Ｒ−ＬＥＤをより明るくし、他のＧ−ＬＥＤ及びＢ−ＬＥＤと混合して、異なる雰囲気の混合光源を得、生活環境の雰囲気が増すことができる。同様に、第三周期ＲＴ１では、需要に応じて調整することができる。
【００２２】
図３（ｂ）において、第一ＰＷＭ信号Ｓ−Ｒ１、第二ＰＷＭ信号Ｓ−Ｇ１及び第三ＰＷＭ信号Ｓ−Ｂ１の周期は同じでも異なっていてもよい。例えば、第一ＰＷＭ信号Ｓ−Ｒ１においての第一周期ＲＴ１と第二ＰＷＭ信号Ｓ−Ｇ１においての第一周期ＧＴ１とが異なり、それにより柔軟な輝度の変化の需要に対応することができる。各ＰＷＭ信号の周期は、適応的に調整することができ、例えば、第三ＰＷＭ信号Ｓ−Ｂ１においての第一周期ＢＴ１は、第二周期ＢＴ２に調整されることができ、第二周期ＢＴ２の時間は、第一周期ＢＴ１より長く、これは別の調整ノブで完成することができ、即ち、一組の調整ノブを使用して、第一ＰＷＭ信号Ｓ−Ｒ１、第二ＰＷＭ信号Ｓ−Ｇ１及び第三ＰＷＭ信号Ｓ−Ｂ１のパルス幅を調整することができ、他の一組のノブを使用して、これらの三つのＰＷＭ信号Ｓ−Ｒ１、Ｓ−Ｇ１、Ｓ−Ｂ１の周期（又は周波数）を調整することができる。
【００２３】
Ｒ−ＬＥＤユニット、Ｇ−ＬＥＤユニット及びＢ−ＬＥＤユニットを調整する方法と類似的に、白色ＬＥＤを調整する方法は、ユーザーは、ノブＷ１を調節してもよく、ノブＷ１は、可変抵抗であってもよく、ノブＷ１が調整されると、可変抵抗の抵抗値が変化し、第二ＰＷＭユニット２４に入力される第二入力信号Ｓｉｇ２が調整され、そして、第二ＰＷＭユニット２４は、第二入力信号Ｓｉｇ２の調整に応じて第二調光信号ＳＭ２のパルス幅を調整し、例えば、第二調光信号ＳＭ２においての第一周期ＷＴ１、第二周期ＷＴ２、第三周期ＷＴ３のパルス幅は周期の50％に調整される。
【００２４】
図４は、本考案の好ましい実施形態に係る照明装置３０を示す模式図である。前記照明装置３０は、生活環境の雰囲気を作り出すことができ、第一灯光源３０１と、第二灯光源３０２と、シェルボディ３３と、を含む。前記第一灯光源３０１は、生活環境の雰囲気光源ＬＡ２を提供する。前記第二灯光源３０２は、照明光源ＬＬ２を提供する。前記シェルボディ３３は、前記第一灯光源３０１及び前記第二灯光源３０２を内部に配置する。前記照明装置３０は、複数の灯光源及び複数のランプシェルを有する電球であってもよく、例えば、図４においての照明装置は、取り外しのできるランプシェル又は一体型のランプシェルを含み、前記一体型のランプシェルは、３Ｄプリンティングを使用して完成してもよい。具体的には、例えば、前記シェルボディ３３は、第一ランプシェル３３１と、遮光ユニット３３２と、第二ランプシェル３３３と、を含む。前記第一ランプシェル３３１は、前記第一灯光源３０１を覆うように配置される。前記遮光ユニット３３２は、第一結合構造３３４及び第二結合構造３３５を有し、前記第二灯光源３０２を載せる。前記照明装置３０は、上述の照明装置１０とは異なり、一つの遮光ユニット３３２のみを有する。前記第二ランプシェル３３３は、前記遮光ユニット３３２を覆うように配置され、前記第一灯光源３０１と前記第二灯光源３０２との間には、前記遮光ユニット３３２で隔てられ、前記遮光ユニット３３２は、前記生活環境の雰囲気光源ＬＡ２と前記照明光源ＬＬ２とを隔て、前記第一ランプシェル３３１及び前記第二ランプシェル３３３は、前記第二結合構造３３５によって結合される。
【００２５】
図４において、前記照明装置３０は、ランプ載せ構造３３６を更に含み、前記ランプ載せ構造３３６は、前記第一灯光源３０１を載せるように配置される。前記ランプ載せ構造３３６及び前記遮光ユニット３３２は、前記第一結合構造３３４によって結合される。前記第一ランプシェル３３１は、前記ランプ載せ構造３３６を覆うように配置される。前記遮光ユニット３３２は、前記第一灯光源３０１と前記第二灯光源３０２を分離する隔板であり、前記第二結合構造３３５は、前記第二ランプシェル３３３の形状及び大きさに適合する雄ねじであり、前記第一結合構造３３４は、前記ランプ載せ構造３３６の形状及び大きさに適合する雌ねじ、接着剤又ははんだである。好ましい実施形態において、前記第一灯光源３０１及び前記第二灯光源３０２は両方ともＬＥＤ灯光源であり、前記照明装置３０は、前記照明装置３０をランプベース３５に結合し、且つ前記ランプ載せ構造３３６に結合するように配置される接合部３４を更に含むこと。
【００２６】
図４において、制御ユニット４０は、前記ランプ載せ構造３３６内に配置されてもよく、前記ランプベース３５内に配置されてもよい。図５に示すように、前記照明装置１０と類似的に、前記制御ユニット４０は、転換ユニット４２と、第一パルス幅変調ユニット４３と、第二パルス幅変調ユニット４４と、を含む。
【００２７】
図５は、本考案の好ましい実施形態に係る制御ユニット４０を示す模式図である。上述の制御ユニット２０と類似的に、図５において、前記ランプベース３５は、電力ＰＷ３に電気的に接続され、前記電力ＰＷ３は、交流電力又は直流電力であってもよい。前記転換ユニット４２は、前記ランプベース３５に電気的に連結され、前記ランプベース３５から提供される第一電力ＰＷ４を前記第一灯光源３０１及び前記第二灯光源３０２のそれぞれに供給される第二電力ＰＷ５及びＰＷ５’に転換する。前記第一ＰＷＭユニット４３は、前記第二電力ＰＷ５を受信し、第一入力信号Ｓｉｇ３に対応し、第一調光信号ＳＭ３を出力し、前記第一調光信号ＳＭ３は、前記生活環境の雰囲気光源ＬＡ２を生成するためにＲ−ＬＥＤユニット３６１、Ｇ−ＬＥＤユニット３６２及びＢ−ＬＥＤユニット３６３をそれぞれ調整し、前記生活環境の雰囲気光源ＬＡ２は、混色光源を含む。前記第二ＰＷＭユニット４４は、前記第二電力ＰＷ５’を受信し、第二入力信号Ｓｉｇ４に対応し、第二調光信号ＳＭ４を出力し、前記第二調光信号ＳＭ４は、前記照明光源ＬＬ２を生成するために、前記白色ＬＥＤを調整する。
【００２８】
他の好ましい実施形態において、図４において、前記第一灯光源３０１は、複数のＬＥＤ光源を含み、各ＬＥＤ光源は、前記Ｒ−ＬＥＤユニット３６１と、前記Ｇ−ＬＥＤユニット３６２と、前記Ｂ−ＬＥＤユニット３６３と、を含む。各ＬＥＤユニットは、白色光を含む異なる色の光を形成するために、前記第一調光信号ＳＭ３に独立に対応して混合することができる。前記第二灯光源３０２は、上述と類似的な前記Ｒ−ＬＥＤユニット３６１と、前記Ｇ−ＬＥＤユニット３６２と、前記Ｂ−ＬＥＤユニット３６３と、を含んでもよい。これらの光の三原色のＬＥＤユニット３６１、３６２及び３６３は、白色光に混合されて白色ＬＥＤを形成してもよい。前記第二灯光源３０２においての白色ＬＥＤは、複数の白色ＬＥＤを含んでもよい。
【００２９】
図６は、本考案の好ましい実施形態に係るモバイルデバイス４５を利用し調光することを示す模式図である。前記制御ユニットは、無線モジュール４６を更に含んでもよく、前記無線モジュール４６は、Ｒ−ＬＥＤユニット３６１、Ｇ−ＬＥＤユニット３６２及びＢ−ＬＥＤユニット３６３の輝度並びに白色ＬＥＤの輝度をそれぞれ調整するために、モバイルデバイス４５からの無線信号ＳＷ１を受信し、前記第一信号Ｓｉｇ３及び前記第二信号Ｓｉｇ４を出力する。モバイルデバイス４５のディスプレイ４５０は、パレット４５１を示してもよく、前記パレット４５１には、様々な色のカラースケール及びグレースケールの変化があり、例えば、前記パレット４５１の縦軸方向は、赤、橙、黄、緑、青、藍、紫のカラースケール変化であり、横軸方向は、グレースケールの変化であり、これは各色を示すことができ、各色はグレースケール変化を有することもできる。ユーザーは、指で所望の生活環境光源ＬＡ２の色を選択するだけでよく、前記無線信号ＳＷ１を前記制御部４０に送り、前記第一ＰＷＭユニット４３及び前記第二ＰＷＭユニット４４はそれぞれ前記第一調光信号ＳＭ３及び前記第二調光信号ＳＭ４を制御し、従って、前記Ｒ−ＬＥＤユニット３６１、前記Ｇ−ＬＥＤユニット３６２及び前記Ｂ−ＬＥＤユニット３６３の輝度並びに白色ＬＥＤの輝度は、ユーザーの要求を満たす。具体的には、例えば、以下のような比較表1を設定してもよく、ユーザーが照明装置３０によって示す所望の色を選択する時、モバイルデバイス４５のアプリケーションは直接比較表1に対応し、対応する無線信号ＳＷ１を制御ユニット４０に直接送信することができる。
【表１】
0003216114.tif 000003
【００３０】
表１において、赤色、緑色及び青色の彩度は二進法の３ビットで表され、つまり、赤色の彩度は、8種類（000〜111）を有し、同様に緑色及び青色は、8種類の彩度を有する。輝度を表すグレースケールも、二進法の３ビットで表され、各色は、8種類のグレースケールもある。ユーザーがパレット４５１上の所望の色をクリックすると、モバイルデバイス４５上のアプリケーションは、すぐに、対応するクリックされた色のRGB彩度及びグレースケールの数値を生成することができる。例えば、表１の列２において、赤色彩度の数値は111であり、赤色のグレースケールの数値は111であり、つまり、赤色の彩度は最も高く、最も明るい赤色であり、赤色の輝度も最大である。緑色彩度の数値は111であり、緑色のグレースケールの数値は111であり、つまり、緑色の彩度は最も高く、最も明るい緑色であり、緑色の輝度も最大である。青色彩度の数値は000であり、青色のグレースケールの数値は000であり、つまり、青色の彩度は最も淡い青色であり、青色の輝度も最も暗いである。混合後の数値は11111111111100000であり、この実施形態において、赤色と緑色は明るい黄色と混ぜることができ、青色の低い彩度と暗い輝度のため、三色は混合後も黄色を示す。ユーザーがこの明るい黄色をクリックすると、モバイルデバイス４５上のアプリケーションは、対応するクリックされた黄色の彩度及びグレースケールの数値111111111111000000をすぐに生成することができる。
【００３１】
同様に、表１の列３において、赤色彩度の数値は111であり、赤色のグレースケールの数値は111であり、つまり、赤色の彩度は最も高く、最も明るい赤色であり、赤色の輝度も最大である。緑色彩度の数値は000であり、緑色のグレースケールの数値は000であり、つまり、緑色の彩度は最も淡い緑色であり、緑色の輝度も最も暗いである。青色彩度の数値は111であり、青色のグレースケールの数値は111であり、つまり、青色の彩度は最も高く、最も明るい青色であり、青色の輝度も最も明るい青色である。混合後の数値は111111000000111111であり、この実施形態において、赤色と青色は明るい紫色と混ぜることができ、緑色は低い彩度と暗い輝度のため、三色は混合後も紫色を示す。ユーザーがこの明るい紫色をクリックすると、モバイルデバイス４５上のアプリケーションは、対応するクリックされた紫色の彩度及びグレースケールの数値111111000000111111をすぐに生成することができる。
【００３２】
他の好ましい実施形態では、以下の表２に示すように、モバイルデバイス４５にカラーコード表を作成することができる。ユーザーが照明装置３０によって示したい色をクリックすると、無線信号ＳＷ１を介して制御ユニット４０にカラーコード表を送信することができる。
【表２】
0003216114.tif 000004
【００３３】
表２では、彩度及びグレースケールの数値が十六進法で表現される一例を挙げて説明するだけであり、この例では、彩度は十六進法の４ビットのみを使用し、グレースケールは十六進法の２ビットのみを使用し、需要に応じて柔軟に調整することができる。ユーザーがパレット４５１で所望の色の彩度と輝度をクリックすると、表２においての対応するカラーコード2E3A及び輝度の数値FFは、無線信号ＳＷ１を介して制御ユニット４０に送信される。制御ユニット４０は、変換ユニット４７を更に含み、変換ユニット４７は、カラーコードの数値2E3Aを赤色、緑色及び青色の混合成分比に変換することができ、例えば、青っぽい寒色系の紫色がクリックされる場合、変換ユニット４７は、カラーコードをそれぞれ30％、10％及び60％である赤色、緑色及び青色の混合成分比に変換する。また、例えば、赤っぽい暖色系の紫色がクリックされる場合、変換ユニット４７は、カラーコードをそれぞれ60％、10％及び30％である赤色、緑色及び青色の混合成分比に変換する。同時に、変換ユニット４７は、第一ＰＷＭユニット４３及び第二ＰＷＭユニット４４にも、グレースケールの数値及び光の三原色の混合成分などの数値を送信して、パルス幅を調整することにより、Ｒ−ＬＥＤユニット３６１、Ｇ−ＬＥＤユニット３６２及びＢ−ＬＥＤユニット３６３が混合する発光色並びに第二灯光源３０２の輝度を制御する。
【００３４】
上記のように、表１及び図３（ｂ）を同時に参照し、図３（ｂ）においての第一ＰＷＭ信号Ｓ−Ｒ１、第二ＰＷＭ信号Ｓ−Ｇ１、第三ＰＷＭ信号Ｓ−Ｂ１、第二調光信号ＳＭ２と類似的に、各色のグレースケールは、対応する第一ＰＷＭ信号Ｓ−Ｒ２、第二ＰＷＭ信号Ｓ−Ｇ２、第三ＰＷＭ信号Ｓ−Ｂ２、第二調光信号ＳＭ４のパルス幅を調整することによって達成することができる。各色の彩度は、対応する第一ＰＷＭ信号Ｓ−Ｒ２、第二ＰＷＭ信号Ｓ−Ｇ２、第三ＰＷＭ信号Ｓ−Ｂ２との間のパルス幅の比を調整することによって達成することができる。例えば、好ましい実施形態では、第一ＰＷＭ信号Ｓ−Ｒ２、第二ＰＷＭ信号Ｓ−Ｇ２、第三ＰＷＭ信号Ｓ−Ｂ２との間のパルス幅の比を調整することによって、混色光源の彩度が80％赤色彩度、20％緑色彩度及び10％青色彩度を達成することができる。説明しやすくため、第一ＰＷＭ信号Ｓ−Ｒ２、第二ＰＷＭ信号Ｓ−Ｇ２、第三ＰＷＭ信号Ｓ−Ｂ２を調整する期間の開始点及び時間長を同じに設定し、第一ＰＷＭ信号Ｓ−Ｒ２のパルス幅を例えば8ミリ秒に設定してもよく、第二ＰＷＭ信号Ｓ−Ｇ２のパルス幅を例えば2ミリ秒に設定してもよく、第三ＰＷＭ信号Ｓ−Ｂ２のパルス幅を例えば1ミリ秒に設定してもよい。そして、混色光源のグレースケールの情報（例えば、50％の赤色グレースケール、40％の緑色グレースケール、30％の青色グレースケール）によって、各調光信号のパルス幅を調整する。例えば、第一ＰＷＭ信号Ｓ−Ｒ２のパルス幅を8×50％= 4ミリ秒に設定してもよく、第二ＰＷＭ信号Ｓ−Ｇ２のパルス幅を2×40％= 0.8ミリ秒に設定してもよく、第三ＰＷＭ信号Ｓ−Ｂ２のパルス幅を1×30％= 0.3ミリ秒に設定してもよい。
【００３５】
上記の好ましい実施形態における各色及びグレースケールは、単一又は複数のビット値を使用して、無線信号ＳＷ１によって色及び輝度情報を送信することができる。例えば、赤色、緑色及び青色の各彩度は、合計24ビットの8ビットで表してもよく、グレースケールは、8ビットで光の三原色の混合される輝度を表してもよく、各色の輝度を表すために8ビットを使用する必要はなく、これにより、処理負荷及び情報伝送量を低減することができる。より多くのビットで彩度及びグレースケールを表すほど、照明装置３０によって放射される光はより緻密になることができる。
【００３６】
図７は、本考案の好ましい実施形態に係る照明装置５０を示す模式図である。前記照明装置５０は、第一ランプシェル５１と、第二ランプシェル５２と、を含む。前記第一ランプシェル５１は、第一灯光源５１０を覆うように配置される。前記第二ランプシェル５２は、第二灯光源５２０を覆うように配置され、前記第一ランプシェル５１は、前記第二ランプシェル５２と背中合わせに連結される。この実施形態は、上述のいくつかの実施形態と組み合わせて新しい実施形態になってもよい。例えば、前記照明装置５０は、前記少なくとも一つの第一灯光源５１０を載せるように配置されるランプ載せ構造３３６と、前記少なくとも一つの第二灯光源５２０を担持し、第一結合構造３３５及び第二結合構造３３４を有する遮光ユニット３３２と、を更に含み、類似的な要素及び構造は繰り返し記述されていない。
【００３７】
そのほかに、上記の全ての実施形態において、第一ランプシェル５１及び第二ランプシェル５２の一方は、カラーコーティングを有し、前記第一ランプシェル５１及び前記第二ランプシェル５２の一方は、半透明のランプシェルであり、他方は、透明のランプシェルである。これによると、当業者であれば実際に実施することができ、大きな産業上の利用可能性を有する。
【００３８】
以上の説明によると、当業者であれば本考案の技術思想を逸脱しない範囲で、多様な変更及び修正が可能であることが分かる。従って、本考案の技術的な範囲は、明細書の詳細な説明に記載された内容に限らず、実用新案登録請求の範囲によって定めなければならない。
【実施例】
【００３９】
１、生活環境の雰囲気を作り出す照明装置は、第一灯光源と、第二灯光源と、シェルボディと、を含む。前記第一灯光源は、生活環境の雰囲気光源を提供する。前記第二灯光源は、照明光源を提供する。前記シェルボディは、前記第一灯光源を内部に配置するための第一部分と、前記第二灯光源を内部に配置するための第二部分と、を有し、前記第一部分は、前記生活環境の雰囲気光源を遮断し、前記第二部分は、前記照明光源を遮断する。
【００４０】
２、実施例１に記載の照明装置において、前記照明装置は、様々な色灯光源を有する電球であり、前記第一部分は、第一灯光源を載せるランプ載せ構造と、前記ランプ載せ構造を覆うように配置される第一ランプシェルと、第一結合構造を有し、前記生活環境の雰囲気光源を遮断する第一遮光ユニットと、を含み、前記ランプ載せ構造及び前記第一遮光ユニットは、前記第一結合構造によって結合され、前記第二部分は、第二結合構造を有し、前記第一遮光ユニットと背中合わせに連結され、第二灯光源を担持し、前記照明光源を遮断する第二遮光ユニットと、前記第二遮光ユニットを覆うように配置される第二ランプシェルと、を含み、前記第一灯光源と前記第二灯光源との間には、前記第一遮光ユニット及び前記第二遮光ユニットで隔てられ、前記第一ランプシェル及び前記第二ランプシェルは、前記第二結合構造によって結合され、前記第一遮光ユニット及び前記第二遮光ユニットは、前記第一部分と前記第二部分を分離する隔板であり、前記第二結合構造は、前記第二ランプシェルの形状及び大きさに適合する雄ねじであり、前記第一結合構造は、前記ランプ載せ構造の形状及び大きさに適合する雌ねじ、接着剤又ははんだであり、前記第一灯光源及び前記第二灯光源は両方ともＬＥＤ灯光源であり、前記第一部分は、前記照明装置をランプベースに結合し、且つ前記ランプ載せ構造に結合するように配置される接合部を更に含む。
【００４１】
３、実施例１〜２に記載の照明装置において、前記第一灯光源は、赤色ＬＥＤ（Ｒ−ＬＥＤ）ユニット、緑色ＬＥＤ（Ｇ−ＬＥＤ）ユニット及び青色ＬＥＤ（Ｂ−ＬＥＤ）ユニットを含み、前記第二灯光源は、比較的高輝度の白色ＬＥＤを含み、前記第一部分は、少なくとも一つの前記第一灯光源及び少なくとも一つの前記第二灯光源の発光動作を制御するように配置される制御ユニットを更に含み、前記制御ユニットは、前記ランプベースに電気的に連結され、前記ランプベースから提供される第一電力を前記第一灯光源に供給される第二電力に転換する第一転換ユニットと、前記ランプベースに電気的に連結され、前記ランプベースから提供される第一電力を前記第二灯光源に供給される第三電力に転換する第二転換ユニットと、前記第二電力を受信し、第一入力信号に対応し、第一調光信号を出力する第一パルス幅変調ユニットと、前記第三電力を受信し、第二入力信号に対応し、第二調光信号を出力する第二パルス幅変調ユニットと、を含み、前記第一調光信号は、前記生活環境の雰囲気光源を生成するために、前記Ｒ−ＬＥＤユニット、前記Ｇ−ＬＥＤユニット及び前記Ｂ−ＬＥＤユニットをそれぞれ調整し、前記生活環境の雰囲気光源は、混色光源を含み、前記第二調光信号は、前記照明光源を生成するために、白色ＬＥＤを調整する。
【００４２】
４、生活環境の雰囲気を作り出す照明装置は、生活環境の雰囲気光源を提供するための第一灯光源と、照明光源を提供するための第二灯光源と、前記第一灯光源及び前記第二灯光源を内部に配置するためのシェルボディと、を含む。
【００４３】
５、実施例４に記載の照明装置において、前記照明装置は、複数の灯光源及び複数のランプシェルを有する電球であり、前記シェルボディは、前記第一灯光源を覆うように配置される第一ランプシェルと、第一結合構造及び第二結合構造を有し、前記第二灯光源を載せる遮光ユニットと、前記遮光ユニットを覆うように配置される第二ランプシェルと、を含み、前記第一灯光源と前記第二灯光源との間には、前記遮光ユニットで隔てられ、前記遮光ユニットは、前記生活環境の雰囲気光源と前記照明光源とを隔て、前記第一ランプシェル及び前記第二ランプシェルは、前記第二結合構造によって結合され、前記照明装置は、第一灯光源を載せるように配置されるランプ載せ構造を更に含み、前記ランプ載せ構造及び前記遮光ユニットは、前記第一結合構造によって結合され、前記第一ランプシェルは、前記ランプ載せ構造を覆うように配置され、前記遮光ユニットは、前記第一灯光源と前記第二灯光源を分離する隔板であり、前記第二結合構造は、前記第二ランプシェルの形状及び大きさに適合する雄ねじであり、前記第一結合構造は、前記ランプ載せ構造の形状及び大きさに適合する雌ねじ、接着剤又ははんだであり、前記第一灯光源及び前記第二灯光源は両方ともＬＥＤ灯光源であり、前記照明装置は、前記照明装置をランプベースに結合し、且つ前記ランプ載せ構造に結合するように配置される接合部を更に含む。
【００４４】
６、実施例４〜５に記載の照明装置において、前記第一灯光源は、赤色ＬＥＤ（Ｒ−ＬＥＤ）ユニット、緑色ＬＥＤ（Ｇ−ＬＥＤ）ユニット及び青色ＬＥＤ（Ｂ−ＬＥＤ）ユニットを含み、前記第二灯光源は、比較的高輝度の白色ＬＥＤを含み、前記照明装置は、少なくとも一つの前記第一灯光源及び少なくとも一つの前記第二灯光源の発光動作を制御するように配置される制御ユニットをさらに含み、前記制御ユニットは、ランプベースに電気的に連結され、前記ランプベースから提供される第一電力を前記第一灯光源及び第二灯光源に供給される第二電力に転換する転換ユニットと、前記第二電力を受信し、第一入力信号に対応し、第一調光信号を出力する第一パルス幅変調（ＰＷＭ)ユニットと、前記第二電力を受信し、第二入力信号に対応し、第二調光信号を出力する第二パルス幅変調ユニットと、 を含み、前記第一調光信号は、前記生活環境の雰囲気光源を生成するために、前記Ｒ−ＬＥＤユニット、前記Ｇ−ＬＥＤユニット及び前記Ｂ−ＬＥＤユニットをそれぞれ調整し、前記生活環境の雰囲気光源は、混色光源を含み、前記第二調光信号は、前記照明光源を生成するために、白色ＬＥＤを調整し、前記第一入力信号及び前記第二入力信号は、モバイルデバイスによって調整され、前記モバイルデバイスは、ディスプレイを含み、また、アプリケーションを有し、前記アプリケーションは、ユーザーが所望の色を選択するためのパレットを前記ディスプレイの上に表示し、選択した色をカラーコードに変換し、前記制御ユニットは、無線モジュール及び変換ユニットを更に含み、前記無線モジュールは、前記カラーコードを受信し、前記第一入力信号及び前記第二入力信号を出力し、前記第一調光信号は、第一パルス幅を有する第一ＰＷＭ信号、第二パルス幅を有する第二ＰＷＭ信号及び第三パルス幅を有する第三ＰＷＭ信号を含み、前記混色光源の彩度は、前記第一ＰＷＭと前記第二ＰＷＭと前記第三ＰＷＭとの間のパルス幅の比に関連し、前記混色光源のグレースケールは、前記第一ＰＷＭ、前記第二ＰＷＭ及び前記第三ＰＷＭのパルス幅にそれぞれ関連し、前記変換ユニットは、前記カラーコードを、前記第一ＰＷＭ、前記第二ＰＷＭと前記第三ＰＷＭとの間のパルス幅の比に変換する。
【００４５】
７、照明装置は、少なくとも一つの第一灯光源を覆うように配置される第一ランプシェルと、少なくとも一つの第二灯光源を覆うように配置される第二ランプシェルと、を含み、前記第一ランプシェルは、前記第二ランプシェルと背中合わせに連結される。
【００４６】
８、実施例７に記載の照明装置において、前記照明装置は、前記少なくとも一つの第一灯光源を載せるランプ載せ構造と、前記少なくとも一つの第二灯光源を担持し、第一結合構造及び第二結合構造を有する遮光ユニットと、を含み、前記ランプ載せ構造は、前記遮光ユニット及び前記第一ランプシェルによって覆われ、全ての第二灯光源と全ての第一灯光源との間は、前記遮光ユニットによって隔てられ、前記ランプ載せ構造及び前記遮光ユニットは、前記第二結合構造によって結合され、前記遮光ユニットは、前記第一灯光源と前記第二灯光源を分離する隔板であり、前記第一結合構造は、前記第二ランプシェルの形状及び大きさに適合する雄ねじであり、前記第二結合構造は、前記ランプ載せ構造の形状及び大きさに適合する雌ねじ、接着剤又ははんだであり、前記第二灯光源は、前記隔板及び前記第二ランプシェルによって覆われ、前記第一灯光源及び前記第二灯光源は両方ともＬＥＤ灯光源であり、前記照明装置は、前記照明装置をランプベースに結合し、且つ前記ランプ載せ構造に結合するように配置される接合部を更に含む。
【００４７】
９、実施例７〜８に記載の照明装置において、前記第一灯光源は、赤色ＬＥＤ（Ｒ−ＬＥＤ）ユニット、緑色ＬＥＤ（Ｇ−ＬＥＤ）ユニット及び青色ＬＥＤ（Ｂ−ＬＥＤ）ユニットを含み、前記第二灯光源は、比較的高輝度の白色ＬＥＤを含み、前記照明装置は、少なくとも一つの前記第一灯光源及び少なくとも一つの前記第二灯光源の発光動作を制御するように配置される制御ユニットを更に含み、前記制御ユニットは、前記ランプベースに電気的に連結され、前記ランプベースから提供される第一電力を前記第一灯光源及び前記第二灯光源に供給される第二電力に転換する第一転換ユニットと、前記第二電力を受信し、第一入力信号に対応し、第一調光信号を出力する第一パルス幅変調ユニットと、前記第二電力を受信し、第二入力信号に対応し、第二調光信号を出力する第二パルス幅変調ユニットと、を含み、前記第一調光信号は、混色光を生成するために、Ｒ−ＬＥＤユニット、Ｇ−ＬＥＤユニット及びＢ−ＬＥＤユニットをそれぞれ調整し、前記第二調光信号は、照明光を生成するために、白色ＬＥＤを調整する。
【００４８】
１０、実施例７〜９に記載の照明装置において、前記第一入力信号及び前記第二入力信号は、セグメントレスノブによって調整され、前記第一調光信号は、第一デューティ比（duty ratio）を有する第一パルス幅変調（ＰＷＭ)信号と、第二デューティ比を有する第二ＰＷＭ信号と、第三デューティ比を有する第三ＰＷＭ信号と、を含み、前記第一、前記第二及び前記第三デューティ比は、前記Ｒ−ＬＥＤユニット、前記Ｇ−ＬＥＤユニット及び前記Ｂ−ＬＥＤユニットによって放射される光の輝度にそれぞれ関連し、前記第一ランプシェル及び前記第二ランプシェルの一方は、カラーコーティングを有し、前記第一ランプシェル及び前記第二ランプシェルの一方は、半透明のランプシェルであり、他方は、透明のランプシェルである。
【００４９】
以上のように、本考案の説明及び実施例は開示されるが、本考案の範囲はこれらに限定されない。当業者であれば、本考案の要旨を逸脱しない範囲内で様々な変更を行うことができ、本考案の実用新案登録請求の範囲内にあるはずである。
【符号の説明】
【００５０】
１０、３０、５０  照明装置
１０１、３０１、５１０  第一灯光源
１０２、３０２、５２０  第二灯光源
１０４  第三結合構造
１０５、３３６  ランプ載せ構造
１０６、３３５  第二結合構造
１０７、３３１、５１  第一ランプシェル
１０８、３３３、５２  第二ランプシェル
１０９  第一遮光ユニット
１１０  第二遮光ユニット
１１１、３３４  第一結合構造
１１４、３５  ランプベース
１３、３３  シェルボディ
１３１  第一部分
１３２  第二部分
２０、４０  制御ユニット
２１  第一転換ユニット
２２  第二転換ユニット
２３、４３  第一ＰＷＭユニット
２４、４４  第二ＰＷＭユニット
２５  調光装置
３３２  遮光ユニット
３４、１１２  接合部
３６１  Ｒ−ＬＥＤユニット
３６２  Ｇ−ＬＥＤユニット
３６３  Ｂ−ＬＥＤユニット
４２  転換ユニット
４５  モバイルデバイス
４５０  ディスプレイ
４５１  パレット
４６  無線モジュール
４７  変換ユニット
ＬＡ１、ＬＡ２  生活環境の雰囲気光源
ＬＬ１、ＬＬ２  照明光源
ＰＷ０、ＰＷ３  電力
ＰＷ１、ＰＷ１’、ＰＷ４  第一電力
ＰＷ２、ＰＷ５、ＰＷ５’  第二電力
ＰＷ２’  第三電力
Ｒ１、Ｇ１、Ｂ１、Ｗ１  ノブ
ＲＴ１、ＧＴ１、ＢＴ１、ＷＴ１  第一周期
ＲＴ２、ＧＴ２、ＢＴ２、ＷＴ２  第二周期
ＲＴ３、ＧＴ３、ＢＴ３、ＷＴ３  第三周期
Ｓｉｇ１、Ｓｉｇ３  第一入力信号
Ｓｉｇ２、Ｓｉｇ４  第二入力信号
Ｓｉｇ１Ｒ、Ｓｉｇ１Ｇ、Ｓｉｇ１Ｂ  信号
ＳＭ１、ＳＭ３  第一調光信号
ＳＭ２、ＳＭ４  第二調光信号
Ｓ−Ｂ１、Ｓ−Ｂ２  第三ＰＷＭ信号
Ｓ−Ｇ１、Ｓ−Ｇ２  第二ＰＷＭ信号
Ｓ−Ｒ１、Ｓ−Ｒ２  第一ＰＷＭ信号
ＳＷ１  無線信号
【図１】
0003216114.tif 000005
【図２】
0003216114.tif 000006
【図３】
0003216114.tif 000007
【図４】
0003216114.tif 000008
【図５】
0003216114.tif 000009
【図６】
0003216114.tif 000010
【図７】
0003216114.tif 000011
【手続補正書】
【提出日】平成30年3月12日(2018.3.12)
【手続補正１】
【補正対象書類名】実用新案登録請求の範囲
【補正対象項目名】全文
【補正方法】変更
【補正の内容】
【実用新案登録請求の範囲】
【請求項１】
生活環境の雰囲気光源を提供するための第一灯光源と、
照明光源を提供するための第二灯光源と、
前記第一灯光源を内部に配置するための第一部分と、前記第二灯光源を内部に配置するための第二部分と、を有するシェルボディと、を含み、
前記第一部分は、前記生活環境の雰囲気光源を遮断し、前記第二部分は、前記照明光源を遮断することを特徴とする生活環境の雰囲気を作り出す照明装置。
【請求項２】
前記照明装置は、様々な色灯光源を有する電球であり、
前記第一部分は、
第一灯光源を載せるランプ載せ構造と、
前記ランプ載せ構造を覆うように配置される第一ランプシェルと、
第一結合構造を有し、前記生活環境の雰囲気光源を遮断する第一遮光ユニットと、を含み、
前記ランプ載せ構造及び前記第一遮光ユニットは、前記第一結合構造によって結合され、
前記第二部分は、
第二結合構造を有し、前記第一遮光ユニットと背中合わせに連結され、第二灯光源を担持し、前記照明光源を遮断する第二遮光ユニットと、
前記第二遮光ユニットを覆うように配置される第二ランプシェルと、を含み、
前記第一灯光源と前記第二灯光源との間には、前記第一遮光ユニット及び前記第二遮光ユニットで隔てられ、前記第一ランプシェル及び前記第二ランプシェルは、前記第二結合構造によって結合され、
前記第一遮光ユニット及び前記第二遮光ユニットは、前記第一部分と前記第二部分を分離する隔板であり、前記第二結合構造は、前記第二ランプシェルの形状及び大きさに適合する雄ねじであり、前記第一結合構造は、前記ランプ載せ構造の形状及び大きさに適合する雌ねじ、接着剤又ははんだであり、
前記第一灯光源及び前記第二灯光源は両方ともＬＥＤ灯光源であり、
前記第一部分は、前記照明装置をランプベースに結合し、且つ前記ランプ載せ構造に結合するように配置される接合部を更に含むことを特徴とする請求項１に記載の照明装置。
【請求項３】
前記第一灯光源は、赤色ＬＥＤ（Ｒ−ＬＥＤ）ユニット、緑色ＬＥＤ（Ｇ−ＬＥＤ）ユニット及び青色ＬＥＤ（Ｂ−ＬＥＤ）ユニットを含み、前記第二灯光源は、比較的高輝度の白色ＬＥＤを含み、
前記第一部分は、少なくとも一つの前記第一灯光源及び少なくとも一つの前記第二灯光源の発光動作を制御するように配置される制御ユニットを更に含み、
前記制御ユニットは、
ランプベースに電気的に連結され、前記ランプベースから提供される第一電力を前記第一灯光源に供給される第二電力に転換する第一転換ユニットと、
前記ランプベースに電気的に連結され、前記ランプベースから提供される第一電力を前記第二灯光源に供給される第三電力に転換する第二転換ユニットと、
前記第二電力を受信し、第一入力信号に対応し、第一調光信号を出力する第一パルス幅変調ユニットと、
前記第三電力を受信し、第二入力信号に対応し、第二調光信号を出力する第二パルス幅変調ユニットと、を含み、
前記第一調光信号は、前記生活環境の雰囲気光源を生成するために、前記Ｒ−ＬＥＤユニット、前記Ｇ−ＬＥＤユニット及び前記Ｂ−ＬＥＤユニットをそれぞれ調整し、前記生活環境の雰囲気光源は、混色光源を含み、
前記第二調光信号は、前記照明光源を生成するために、白色ＬＥＤを調整することを特徴とする請求項１に記載の照明装置。
【請求項４】
生活環境の雰囲気光源を提供するための第一灯光源と、
照明光源を提供するための第二灯光源と、
前記第一灯光源及び前記第二灯光源を内部に配置するためのシェルボディと、を含むことを特徴とする生活環境の雰囲気を作り出す照明装置。
【請求項５】
前記照明装置は、複数の灯光源及び複数のランプシェルを有する電球であり、
前記シェルボディは、
前記第一灯光源を覆うように配置される第一ランプシェルと、
第一結合構造及び第二結合構造を有し、前記第二灯光源を載せる遮光ユニットと、
前記遮光ユニットを覆うように配置される第二ランプシェルと、を含み、
前記第一灯光源と前記第二灯光源との間には、前記遮光ユニットで隔てられ、前記遮光ユニットは、前記生活環境の雰囲気光源と前記照明光源とを隔て、前記第一ランプシェル及び前記第二ランプシェルは、前記第二結合構造によって結合され、
前記照明装置は、第一灯光源を載せるように配置されるランプ載せ構造を更に含み、
前記ランプ載せ構造及び前記遮光ユニットは、前記第一結合構造によって結合され、
前記第一ランプシェルは、前記ランプ載せ構造を覆うように配置され、
前記遮光ユニットは、前記第一灯光源と前記第二灯光源を分離する隔板であり、前記第二結合構造は、前記第二ランプシェルの形状及び大きさに適合する雄ねじであり、前記第一結合構造は、前記ランプ載せ構造の形状及び大きさに適合する雌ねじ、接着剤又ははんだであり、
前記第一灯光源及び前記第二灯光源は両方ともＬＥＤ灯光源であり、
前記照明装置は、前記照明装置をランプベースに結合し、且つ前記ランプ載せ構造に結合するように配置される接合部を更に含むことを特徴とする請求項４に記載の照明装置。
【請求項６】
前記第一灯光源は、赤色ＬＥＤ（Ｒ−ＬＥＤ）ユニット、緑色ＬＥＤ（Ｇ−ＬＥＤ）ユニット及び青色ＬＥＤ（Ｂ−ＬＥＤ）ユニットを含み、前記第二灯光源は、比較的高輝度の白色ＬＥＤを含み、
前記照明装置は、少なくとも一つの前記第一灯光源及び少なくとも一つの前記第二灯光源の発光動作を制御するように配置される制御ユニットをさらに含み、
前記制御ユニットは、
ランプベースに電気的に連結され、前記ランプベースから提供される第一電力を前記第一灯光源及び第二灯光源に供給される第二電力に転換する転換ユニットと、
前記第二電力を受信し、第一入力信号に対応し、第一調光信号を出力する第一パルス幅変調（ＰＷＭ）ユニットと、
前記第二電力を受信し、第二入力信号に対応し、第二調光信号を出力する第二パルス幅変調ユニットと、を含み、
前記第一調光信号は、前記生活環境の雰囲気光源を生成するために、前記Ｒ−ＬＥＤユニット、前記Ｇ−ＬＥＤユニット及び前記Ｂ−ＬＥＤユニットをそれぞれ調整し、前記生活環境の雰囲気光源は、混色光源を含み、
前記第二調光信号は、前記照明光源を生成するために、白色ＬＥＤを調整し、
前記第一入力信号及び前記第二入力信号は、モバイルデバイスによって調整され、
前記モバイルデバイスは、ディスプレイを含み、また、アプリケーションを有し、前記アプリケーションは、ユーザが所望の色を選択するためのパレットを前記ディスプレイの上に表示し、選択した色をカラーコードに変換し、
前記制御ユニットは、無線モジュール及び変換ユニットとを更に含み、前記無線モジュールは、前記カラーコードを受信し、前記第一入力信号及び前記第二入力信号を出力し、
前記第一調光信号は、第一パルス幅を有する第一ＰＷＭ信号、第二パルス幅を有する第二ＰＷＭ信号及び第三パルス幅を有する第三ＰＷＭ信号を含み、
前記混色光源の彩度は、前記第一ＰＷＭ信号と前記第二ＰＷＭ信号と前記第三ＰＷＭ信号との間のパルス幅の比に関連し、
前記混色光源のグレースケールは、前記第一ＰＷＭ信号、前記第二ＰＷＭ信号及び前記第三ＰＷＭ信号のパルス幅にそれぞれ関連し、
前記変換ユニットは、前記カラーコードを、前記第一ＰＷＭ信号、前記第二ＰＷＭ信号と前記第三ＰＷＭ信号との間のパルス幅の比に変換することを特徴とする請求項４に記載の照明装置。
【請求項７】
少なくとも一つの第一灯光源を覆うように配置される第一ランプシェルと、
少なくとも一つの第二灯光源を覆うように配置される第二ランプシェルと、を含み、
前記第一ランプシェルは、前記第二ランプシェルと背中合わせに連結されることを特徴とする照明装置。
【請求項８】
前記照明装置は、
前記少なくとも一つの第一灯光源を載せるランプ載せ構造と、
前記少なくとも一つの第二灯光源を担持し、第一結合構造及び第二結合構造を有する遮光ユニットと、を含み、
前記ランプ載せ構造は、前記遮光ユニット及び前記第一ランプシェルによって覆われ、
全ての第二灯光源と全ての第一灯光源との間は、前記遮光ユニットによって隔てられ、前記ランプ載せ構造及び前記遮光ユニットは、前記第二結合構造によって結合され、
前記遮光ユニットは、前記第一灯光源と前記第二灯光源を分離する隔板であり、前記第一結合構造は、前記第二ランプシェルの形状及び大きさに適合する雄ねじであり、前記第二結合構造は、前記ランプ載せ構造の形状及び大きさに適合する雌ねじ、接着剤又ははんだであり、
前記第二灯光源は、前記隔板及び前記第二ランプシェルによって覆われ、
前記第一灯光源及び前記第二灯光源は両方ともＬＥＤ灯光源であり、
前記照明装置は、前記照明装置をランプベースに結合し、且つ前記ランプ載せ構造に結合するように配置される接合部を更に含むことを特徴とする請求項７に記載の照明装置。
【請求項９】
前記第一灯光源は、赤色ＬＥＤ（Ｒ−ＬＥＤ）ユニット、緑色ＬＥＤ（Ｇ−ＬＥＤ）ユニット及び青色ＬＥＤ（Ｂ−ＬＥＤ）ユニットを含み、前記第二灯光源は、比較的高輝度の白色ＬＥＤを含み、
前記照明装置は、少なくとも一つの前記第一灯光源及び少なくとも一つの前記第二灯光源の発光動作を制御するように配置される制御ユニットを更に含み、
前記制御ユニットは、
前記ランプベースに電気的に連結され、前記ランプベースから提供される第一電力を前記第一灯光源及び前記第二灯光源に供給される第二電力に転換する転換ユニットと、
前記第二電力を受信し、第一入力信号に対応し、第一調光信号を出力する第一パルス幅変調ユニットと、
前記第二電力を受信し、第二入力信号に対応し、第二調光信号を出力する第二パルス幅変調ユニットと、を含み、
前記第一調光信号は、混色光を生成するために、Ｒ−ＬＥＤユニット、Ｇ−ＬＥＤユニット及びＢ−ＬＥＤユニットをそれぞれ調整し、
前記第二調光信号は、照明光を生成するために、白色ＬＥＤを調整することを特徴とする請求項８に記載の照明装置。
【請求項１０】
前記第一入力信号及び前記第二入力信号は、セグメントレスノブによって調整され、
前記第一調光信号は、第一デューティ比（duty ratio）を有する第一パルス幅変調（ＰＷＭ）信号と、第二デューティ比を有する第二ＰＷＭ信号と、第三デューティ比を有する第三ＰＷＭ信号と、を含み、前記第一、前記第二及び前記第三デューティ比は、前記Ｒ−ＬＥＤユニット、前記Ｇ−ＬＥＤユニット及び前記Ｂ−ＬＥＤユニットによって放射される光の輝度にそれぞれ関連し、
前記第一ランプシェル及び前記第二ランプシェルの一方は、カラーコーティングを有し、前記第一ランプシェル及び前記第二ランプシェルの一方は、半透明のランプシェルであり、他方は、透明のランプシェルであることを特徴とする請求項９に記載の照明装置。
【手続補正２】
【補正対象書類名】明細書
【補正対象項目名】００４１
【補正方法】変更
【補正の内容】
【００４１】
３、実施例１〜２に記載の照明装置において、前記第一灯光源は、赤色ＬＥＤ（Ｒ−ＬＥＤ）ユニット、緑色ＬＥＤ（Ｇ−ＬＥＤ）ユニット及び青色ＬＥＤ（Ｂ−ＬＥＤ）ユニットを含み、前記第二灯光源は、比較的高輝度の白色ＬＥＤを含み、前記第一部分は、少なくとも一つの前記第一灯光源及び少なくとも一つの前記第二灯光源の発光動作を制御するように配置される制御ユニットを更に含み、前記制御ユニットは、ランプベースに電気的に連結され、前記ランプベースから提供される第一電力を前記第一灯光源に供給される第二電力に転換する第一転換ユニットと、前記ランプベースに電気的に連結され、前記ランプベースから提供される第一電力を前記第二灯光源に供給される第三電力に転換する第二転換ユニットと、前記第二電力を受信し、第一入力信号に対応し、第一調光信号を出力する第一パルス幅変調ユニットと、前記第三電力を受信し、第二入力信号に対応し、第二調光信号を出力する第二パルス幅変調ユニットと、を含み、前記第一調光信号は、前記生活環境の雰囲気光源を生成するために、前記Ｒ−ＬＥＤユニット、前記Ｇ−ＬＥＤユニット及び前記Ｂ−ＬＥＤユニットをそれぞれ調整し、前記生活環境の雰囲気光源は、混色光源を含み、前記第二調光信号は、前記照明光源を生成するために、白色ＬＥＤを調整する。
【手続補正３】
【補正対象書類名】明細書
【補正対象項目名】００４４
【補正方法】変更
【補正の内容】
【００４４】
６、実施例４〜５に記載の照明装置において、前記第一灯光源は、赤色ＬＥＤ（Ｒ−ＬＥＤ）ユニット、緑色ＬＥＤ（Ｇ−ＬＥＤ）ユニット及び青色ＬＥＤ（Ｂ−ＬＥＤ）ユニットを含み、前記第二灯光源は、比較的高輝度の白色ＬＥＤを含み、前記照明装置は、少なくとも一つの前記第一灯光源及び少なくとも一つの前記第二灯光源の発光動作を制御するように配置される制御ユニットをさらに含み、前記制御ユニットは、ランプベースに電気的に連結され、前記ランプベースから提供される第一電力を前記第一灯光源及び第二灯光源に供給される第二電力に転換する転換ユニットと、前記第二電力を受信し、第一入力信号に対応し、第一調光信号を出力する第一パルス幅変調（ＰＷＭ)ユニットと、前記第二電力を受信し、第二入力信号に対応し、第二調光信号を出力する第二パルス幅変調ユニットと、 を含み、前記第一調光信号は、前記生活環境の雰囲気光源を生成するために、前記Ｒ−ＬＥＤユニット、前記Ｇ−ＬＥＤユニット及び前記Ｂ−ＬＥＤユニットをそれぞれ調整し、前記生活環境の雰囲気光源は、混色光源を含み、前記第二調光信号は、前記照明光源を生成するために、白色ＬＥＤを調整し、前記第一入力信号及び前記第二入力信号は、モバイルデバイスによって調整され、前記モバイルデバイスは、ディスプレイを含み、また、アプリケーションを有し、前記アプリケーションは、ユーザーが所望の色を選択するためのパレットを前記ディスプレイの上に表示し、選択した色をカラーコードに変換し、前記制御ユニットは、無線モジュール及び変換ユニットを更に含み、前記無線モジュールは、前記カラーコードを受信し、前記第一入力信号及び前記第二入力信号を出力し、前記第一調光信号は、第一パルス幅を有する第一ＰＷＭ信号、第二パルス幅を有する第二ＰＷＭ信号及び第三パルス幅を有する第三ＰＷＭ信号を含み、前記混色光源の彩度は、前記第一ＰＷＭ信号と前記第二ＰＷＭ信号と前記第三ＰＷＭ信号との間のパルス幅の比に関連し、前記混色光源のグレースケールは、前記第一ＰＷＭ信号、前記第二ＰＷＭ信号及び前記第三ＰＷＭ信号のパルス幅にそれぞれ関連し、前記変換ユニットは、前記カラーコードを、前記第一ＰＷＭ信号、前記第二ＰＷＭ信号と前記第三ＰＷＭ信号との間のパルス幅の比に変換する。
【手続補正４】
【補正対象書類名】明細書
【補正対象項目名】００４７
【補正方法】変更
【補正の内容】
【００４７】
９、実施例７〜８に記載の照明装置において、前記第一灯光源は、赤色ＬＥＤ（Ｒ−ＬＥＤ）ユニット、緑色ＬＥＤ（Ｇ−ＬＥＤ）ユニット及び青色ＬＥＤ（Ｂ−ＬＥＤ）ユニットを含み、前記第二灯光源は、比較的高輝度の白色ＬＥＤを含み、前記照明装置は、少なくとも一つの前記第一灯光源及び少なくとも一つの前記第二灯光源の発光動作を制御するように配置される制御ユニットを更に含み、前記制御ユニットは、前記ランプベースに電気的に連結され、前記ランプベースから提供される第一電力を前記第一灯光源及び前記第二灯光源に供給される第二電力に転換する転換ユニットと、前記第二電力を受信し、第一入力信号に対応し、第一調光信号を出力する第一パルス幅変調ユニットと、前記第二電力を受信し、第二入力信号に対応し、第二調光信号を出力する第二パルス幅変調ユニットと、を含み、前記第一調光信号は、混色光を生成するために、Ｒ−ＬＥＤユニット、Ｇ−ＬＥＤユニット及びＢ−ＬＥＤユニットをそれぞれ調整し、前記第二調光信号は、照明光を生成するために、白色ＬＥＤを調整する。